(57)【要約】【課題】金具の配置精度が著しく良好になると共に、パネルの取付施工効率が著しく向上するパネルの施工方法を提供する。【解決手段】パネル１０の上辺の長手方向の途中箇所に金具２０を係合させておく。パネル１０の下辺をスタート金具３０に係合させた後、裏面を壁面４０に向って当て、取り付ける。所定数のパネル１０をスタート金具３０に係止させつつ壁面４０に取り付けた後、左右に隣接するパネル１０同士の突き合わせ部に金具２０を装着する。このパネル１０の上方側にパネル１０を配置し、壁面４０に取り付ける。以下、順次に下から３段目以降のパネルを全く同様にして取り付けていく。パネル１０の上部中央に金具２０の左右両端位置を示す表示１が設けられている。【選択図】　図１
2004143805.tif 000002
【特許請求の範囲】
【請求項１】
壁面にパネルを金具により固定するに際し、
パネルの上部にパネルの面出入り方向の規制用の金具を取り付け、この金具を壁面に当接させるパネルの施工方法であって、
該金具は、パネルの上辺の長手方向中央部に配置されると共に、左右に隣接するパネルの上部の両端同士に跨がって配置されるパネルの施工方法において、
該パネルの上辺の中央部に、該中央部に配置される金具の左右両端の位置を示す表示が設けられていることを特徴とするパネルの施工方法。
【請求項２】
請求項１において、前記パネルは上部及び下部に実又は溝を有しており、前記金具を上段側のパネルの下部の実又は溝と下段側のパネルの上部の実又は溝にそれぞれ係合させることを特徴とするパネルの施工方法。
【請求項３】
請求項１又は２において、前記表示は、前記金具と左右幅が等しい着色部よりなることを特徴とするパネルの施工方法。
【請求項４】
パネルの上部にパネルの面出入り方向の規制用の金具を取り付け、この金具を壁面に当接させたパネルの施工構造であって、
該金具は、パネルの上辺の長手方向中央部に配置されると共に、左右に隣接するパネルの上部の両端同士に跨がって配置されているパネルの施工構造において、
該パネルの上辺の中央部に、該中央部に配置される金具の左右両端の位置を示す表示が設けられていることを特徴とするパネルの施工構造。
【請求項５】
請求項４において、前記パネルは上部及び下部に実又は溝を有しており、前記金具を上段側のパネルの下部の実又は溝と下段側のパネルの上部の実又は溝にそれぞれ係合させることを特徴とするパネルの施工構造。
【請求項６】
請求項４又は５において、前記表示は、前記金具と左右幅が等しい着色部よりなることを特徴とするパネルの施工構造。
【請求項７】
金具によって壁面に取り付けられるパネルにおいて、
該パネルの上辺の中央部に、該中央部に配置される該金具の配置位置を示す表示が設けられていることを特徴とするパネル。
【請求項８】
請求項７において、前記表示は、前記金具と左右幅が等しい着色部よりなることを特徴とするパネル。
【発明の詳細な説明】
【０００１】
【発明の属する技術分野】
本発明は、パネルを壁面に接着剤と金具とによって取り付けるパネルの施工方法に関するものであり、特に施工効率が著しく向上するパネルの施工方法に関する。また、本発明は、このパネルの施工方法に用いられるパネルに関する。
【０００２】
【従来の技術】
大形タイルや、天然石板、タイル張りパネル等の化粧用パネルを壁面に取り付ける工法としては、一液型変性シリコーン系弾性接着剤、一液型エポキシ変性シリコーン系弾性接着剤、一液型エポキシ系接着剤等の接着剤によって該パネルを壁面に接着する工法と、金具によってパネルを壁面に固定する工法とが多く採用されている。
【０００３】
第３図は金具により木造軸組構造にパネルを取付施工した一例を示し、第４図は鉄骨構造へのパネル取付施工構造の一例を示している。
【０００４】
第３図において、柱５１，５１ａの前面に透湿防水シート５２が設けられ、その前面に縦胴縁５３が取り付けられている。この縦胴縁５３に対し取付金具５５を介してパネル５４が取り付けられている。
【０００５】
第４図においては、鉄骨５６，５７の前面に透湿防水シート５２が設けられ、取付金具５５を介してパネル５４が取り付けられている。
【０００６】
この取付金具の一例を第５図、第６図に示す。
【０００７】
第５図の取付金具５５は、建築物の外壁等の縦胴縁又は鉄骨に固定されるベース部６２と、該ベース部６２の前面から前方に立設されたパネル支承部６４を有している。
【０００８】
該ベース部６２は、縦胴縁又は鉄骨に重ね合わされる基片部６８と、該基片部６８の下縁部及び左右の側縁部から該基片部６８の三方を囲むように台地状に前方に張り出した張出部７０と、該張出部７０を壁面６０に沿って支えるようにそれぞれ該張出部７０の下縁部及び左右の側縁部から後方に延出した脚片部７２，７４，７６とから主として構成されている。該基片部６８にはこのベース部６２を縦胴縁又は鉄骨に固定するためのビスが挿通されるビス孔８０が設けられている。
【０００９】
支承部６４は、それぞれ切り起こしによって形成されている。各支承部６４は、該張出部７０の前面から前方に延出した前方延出部６４ａと、それぞれ該前方延出部６４ａの前端側から上下方向に延出した上方延出部６４ｂ及び下方延出部６４ｃとからなる。この上方延出部６４ｂが上段側のパネル５４の下辺を係止する第１係止部を構成し、下方延出部６４ｃが下段側のパネル５４の上辺を係止する第２係止部を構成する。
【００１０】
パネル５４は、上下方向に多段に且つ左右方向に並列させて取付施工されるものである。取付金具５５は、上下方向に隣接するパネル５４の対向する上縁と下縁とに跨ってこれらの左右両端側にそれぞれ配置される。また、左右に隣接するパネル５４に対しては、各々の上縁同士及び下縁同士に跨って取付金具５５が配置される。さらに、パネル５４の上辺の中央にも配置される。
【００１１】
第６図に示す取付金具５５Ａは、縦胴縁又は鉄骨に固定されるベース部６２Ａと、このベース部６２Ａから切り起こしにより形成された、下段側のパネルの上辺を係止する第１係止部９０及び上段側のパネルの下辺を係止する第２係止部９２と、該ベース部６２Ａを縦胴縁又は鉄骨に固定するためのビスが挿通されるビス孔８０Ａを有している。
【００１２】
該ベース部６２Ａは縦胴縁又は鉄骨に沿って配置されたときにその前面が全体として縦胴縁又は鉄骨から台地状に張り出すような形状となっており、該ベース部６２Ａの下縁部及び左右の側縁部からは、該ベース部６２Ａを壁面６０に沿って支えるように脚片部７２Ａ，７４Ａ，７６Ａが後方に立設されている。
【００１３】
該第２係止部９２は該開口６６Ａの上縁部に沿ってベース部６２Ａの左右幅方向中央付近に配置されており、該第１係止部９０はこの第２係止部９２の両サイドに配置されている。ベース部６２Ａの左右両側縁部に、該第２係止部９２に係止される下段側の建材に食い込む爪片９４，９４が突設されている。
【００１４】
この取付金具５５Ａの配置は前記取付金具５５と同じである。
【００１５】
特開２００２−９７７７２号公報には、パネルの裏側又は壁面に接着剤を塗着しておき、パネルを壁面に押し付けると共に、パネルの上部にパネルの面出入り方向の規制用の金具を取り付けおき、この金具を壁面に当接させることを特徴とするパネルの施工方法が記載されている。
【００１６】
同号公報のパネルの施工方法にあっては、パネルの面出入りを金具で規制し、パネルの重量は接着剤によって壁面に伝達させるので、金具の数が少なくて済むと共に、金具も簡易に壁面に留め付ければ足りる。また、金具のすべてではなく一部のものだけを壁面に留め付けるようにしてもよい。このため、ビスや釘打ちの作業数を著しく減らすことができる。
【００１７】
第７図は同号公報のパネルの施工方法を示す斜視図、第８図（ａ）は金具の斜視図、第８図（ｂ）はスタート金具の斜視図、第９図はパネルの斜視図、第１０図はパネルの裏面図、第１１図は施工方法を示す断面図である。
【００１８】
パネル１０は、第９図の通り四方しゃくりパネルであり、上辺と右辺とに雄実１１，１２が設けられ、下辺と左辺に雌実１３，１４が設けられている。下辺の雌実１３には溝１５が設けられている。この溝１５は、雌実の段差の隅角部に設けられており、後述の金具２０，３０の上方突出部２３，３３が係合する。
【００１９】
金具２０は、第８図（ａ）の通り、下地壁面に重なるベース部２１と、該ベース部２１から前方に突出する前方突出部２２と、該前方突出部２２の前端から上方に延出した上方延出部２３と、該前端から下方に延出した下方延出部２４とを有している。ベース部２１に設けられた小孔２５を通してビス又は釘を壁面に打ち込むことが可能となっている。
【００２０】
この金具２０は、第７図の通り２枚のパネル１０，１０にまたがる程度の短尺のものである。
【００２１】
この下方延出部２４に対しパネル１０の上辺の雄実１１が係合する。また、上方延出部２３に対し、パネル１０の下辺の雌実１３及び溝１５が係合する。
【００２２】
壁面に貼り付けられるパネル群の最下段の下辺を支承するスタート金具３０は、同様に下地壁面に重なるベース部３１と、該ベース部３１から前方に突出する前方突出部３２と、該前方突出部３２の前端から上方に延出した上方延出部２３と、該前端から下方に延出した下方延出部３４とを有している。ベース部３１に設けられた小孔３５を通してビス又は釘を壁面に打ち込むことが可能となっている。この上方延出部３３に対し最下段のパネル１０の下辺の雌実１３及び溝１５が係合する。
【００２３】
このスタート金具は、水平方向に長く延設されるレール状の長尺部材である。
【００２４】
パネル１０の取付を行うには、まずスタート金具３０を正確に位置出ししてビスによって壁面４０に固定する。次いで、第６図の如くパネル１０の裏面の所定位置に各々所定量の接着剤５０を塗布する。また、このパネル１０の上辺の長手方向の中央部に１個の金具２０を係合させておく。
【００２５】
そして、このパネル１０の下辺をスタート金具３０に係合させた後、その裏面を壁面４０に向って当て、接着剤５０によって該パネル１０を貼り付ける。複数の所定数のパネル１０をスタート金具３０に係止させつつ同様にして壁面４０に貼る。この際、左右に隣接するパネル１０の左右の雄実１２と雌実１４とを係合させる。その後、左右に隣接するパネル１０同士の突き合わせ部にまたがるように新たな金具２０をパネル１０の上辺に装着する。この金具２０はビス又は釘で壁面４０に留め付けられる。
【００２６】
このようにして最下段の各パネル１０を取付施工した後、第２段目のパネルを施工する。即ち、最下段のパネル１０の上方側に第２段目用のパネル１０を配置し、接着剤５０で壁面４０に貼り付ける。この場合、予め第２段目用のパネル１０の上辺の長手方向中央部に金具１０を取り付けておく。パネル１０の下辺の雌実１３を最下段のパネル１０の上辺の雄実１１に係合させると共に、最下段のパネル１０の上辺に装着された金具２０の上方延出部２３を第２段目のパネル１０の下辺の雌実１３と溝１５とに係合させる。また、左右に隣接するパネル１０の雄実１２と雌実１４とを係合させる。
【００２７】
このようにして最下段から２段目に所要数のパネル１０を壁面４０に貼った後、第２段目において左右に隣接するパネル１０の突き合わせ部の上部にまたがるように金具２０を装着する。以下、順次に下から３段目以降のパネルを全く同様にして貼っていく。これにより、第７図の如く、各パネル１０の側辺同士の間の縦目地が上下に隣接するパネル１０の左右方向の中央に位置した馬目地調の貼り上りとなる。
【００２８】
なお、パネルは第１２図に示す上下しゃくりパネル１０Ａ、第１３図に示す上下溝付きパネル１０Ｂであってもよい。
【００２９】
【特許文献】
特開２００２−９７７７２号公報
【００３０】
【発明が解決しようとする課題】
上記従来のパネル施工構造にあっては、パネル５４，１０の上辺の中央（長手方向中央。以下、同様。）に位置する金具５５，５５Ａ，２０は、正確に上辺中央に配置される必要がある。この中央の金具５５，５５Ａ，２０が若干左右にずれると、その上側に配置されるパネル５４，１０の下辺の左右両端との掛りが不足することになる。
【００３１】
本発明は、パネルの上部中央に配置された金具が上段側の２枚のパネルの下辺の左右両端にそれぞれ係合する場合において、金具がパネルの上部中央に正確に配置されるようにすることを目的とする。
【００３２】
【課題を解決するための手段】
本発明のパネルの施工方法は、壁面にパネルを金具により固定するに際し、パネルの上部にパネルの面出入り方向の規制用の金具を取り付け、この金具を壁面に当接させるパネルの施工方法であって、該金具は、パネルの上辺の長手方向中央部に配置されると共に、左右に隣接するパネルの上部の両端同士に跨がって配置されるパネルの施工方法において、該パネルの上辺の中央部に、該中央部に配置される金具の左右両端の位置を示す表示が設けられていることを特徴とするものである。
【００３３】
本発明のパネルの施工構造は、パネルの上部にパネルの面出入り方向の規制用の金具を取り付け、この金具を壁面に当接させたパネルの施工構造であって、該金具は、パネルの上辺の長手方向中央部に配置されると共に、左右に隣接するパネルの上部の両端同士に跨がって配置されているパネルの施工構造において、該パネルの上辺の中央部に、該中央部に配置される金具の左右両端の位置を示す表示が設けられていることを特徴とするものである。
【００３４】
また、本発明のパネルは、金具によって壁面に取り付けられるパネルにおいて、該パネルの上辺の中央部に、該中央部に配置される該金具の配置位置を示す表示が設けられていることを特徴とするものである。
【００３５】
かかる本発明によると、金具を正確にパネルの上辺中央に配置することができる。
【００３６】
【発明の実施の形態】
以下、図面を参照して実施の形態について説明する。
【００３７】
第１図及び第２図はそれぞれ実施の形態に係るパネルの構成図である。
【００３８】
第１図の実施の形態では、パネル１０の上辺の中央部に、金具２０（第１，２図では図示略）の左右両端位置を示すための表示１，１が設けられている。この表示１，１同士の間隔は、金具２０の左右幅と同一である。この実施の形態では、表示１はペイント等の塗料を塗着することにより形成されているが、溝を付けたり、シールを貼ったりすることにより形成されてもよい。レーザ印刷等の印刷により表示１が設けられてもよい。
【００３９】
このように表示１を設けることにより、金具２０を正確にパネル１０の上部中央に配置させることができ、パネルの取付強度を高めると共に施工効率を向上させることができる。
【００４０】
第１図の実施の形態では、表示１は雄実１１の前面にのみ設けられているが、さらに長く、例えば第２図（ａ）の表示１’のように雄実１１の上端面にまで表示を設けてもよい。
【００４１】
また、本発明では、第２図（ｂ）のように、金具２０が重なる領域の全体に着色あるいはシール貼着等により、周囲のパネル色とは異色の領域よりなる表示２を設けてもよい。
【００４２】
この表示２の左右幅は金具２０の左右幅と等しい。第２図（ｂ）のようにベタ塗り状に表示２が設けられていると、金具２０を該表示２に重ねるようにして位置させ易いと共に、表示２自体が目立つので、作業効率が著しく向上する。
【００４３】
なお、図示は省略するが、表示２は、左右方向の途中の１箇所又は複数箇所が白ヌキ状となっていてもよい。
【００４４】
上記実施の形態は、上記特開２００２−９７７７２号のように金具と接着剤を併用するパネルの施工方法に関するものであるが、本発明は、第３図〜第６図に示すパネルの施工方法にも適用である。また、図示以外のパネルを施工する場合にも適用できる。
【００４５】
【発明の効果】
以上の通り、本発明によると、パネルの上辺中央に正確に金具を配置することができ、パネルの施工効率が向上すると共に、パネルの取付強度を十分に確保することが可能となる。
【図面の簡単な説明】
【図１】（ａ）図は実施の形態に係るパネルの斜視図、（ｂ）図は上部の正面図、（ｃ）図は上部の斜視図である。
【図２】別の実施の形態を示すパネル上部の斜視図である。
【図３】従来のパネル施工方法の説明図である。
【図４】従来のパネル施工方法の説明図である。
【図５】パネル取付金具の斜視図である。
【図６】パネル取付金具の斜視図である。
【図７】特開２００２−９７７７２号のパネルの施工方法を示す斜視図である。
【図８】図３の金具及びスタート金具の斜視図である。
【図９】四方しゃくりパネルの斜視図である。
【図１０】四方しゃくりパネルの裏面図である。
【図１１】図７のパネルの施工方法を示す断面図である。
【図１２】上下しゃくりパネルの斜視図である。
【図１３】上下溝付きパネルの斜視図である。
【符号の説明】
１，１’，２　表示
１０　四方しゃくりパネル
１０Ａ　上下しゃくりパネル
１０Ｂ　上下溝付きパネル
１１，１２　雄実
１３，１４　雌実
１５，１６，１７　溝
２０　金具
３０　スタート金具
４０　壁面
５０　接着剤
５１，５１ａ　柱
５２　透湿防水シート
５３　縦胴縁
５４　パネル
５５，５５Ａ　取付金具
【図１】
2004143805.tif 000003
【図２】
2004143805.tif 000004
【図３】
2004143805.tif 000005
【図４】
2004143805.tif 000006
【図５】
2004143805.tif 000007
【図６】
2004143805.tif 000008
【図７】
2004143805.tif 000009
【図８】
2004143805.tif 000010
【図９】
2004143805.tif 000011
【図１０】
2004143805.tif 000012
【図１１】
2004143805.tif 000013
【図１２】
2004143805.tif 000014
【図１３】
2004143805.tif 000015